(57)【要約】【課題】何れの方向から圧力を受けても電極線同士が接触し、完成品の長さを自由に設定でき、安価に製造することが可能な感圧センサ及びその製造方法を提供する。【解決手段】弾性絶縁体からなる中空の管状部材２と、管状部材２の内周面に互いに離間して保持された複数本の電極線３を備える感圧センサにおいて、管状部材２の内周面または外周面の少なくとも一方の面には、長手方向に沿って螺旋リブ７が形成され、電極線３は、長手方向に沿って螺旋状に配置され、管状部材２の螺旋リブ７の螺旋方向と、螺旋状に配置された電極線３の螺旋方向とは同方向である。【選択図】図１
2019102394.tif 000002
【特許請求の範囲】
【請求項１】
弾性絶縁体からなる中空の管状部材と、前記管状部材の内周面に互いに離間して保持された複数本の電極線を備える感圧センサにおいて、
前記管状部材の内周面または外周面の少なくとも一方の面には、長手方向に沿って螺旋リブが形成され、
前記電極線は、長手方向に沿って螺旋状に配置され、
前記管状部材の螺旋リブの螺旋方向と、前記螺旋状に配置された電極線の螺旋方向とは同方向である
感圧センサ。
【請求項２】
弾性絶縁体からなる中空の管状部材と、前記管状部材の内周面に互いに離間して保持された複数本の電極線を備える感圧センサの製造方法において、
前記複数本の電極線を互いに離間させて走線させつつ、当該複数本の電極線が内周面に保持されるように管状の弾性絶縁体を押出被覆して前記管状部材を形成する際に、前記管状の弾性絶縁体を周方向に回転させながら押出被覆することにより、前記複数本の電極線を長手方向に沿って螺旋状に配置する感圧センサの製造方法。
【請求項３】
前記管状の弾性絶縁体は、口金の内周面に刻まれた、押出方向に対して斜めとなる溝に沿って流動されることにより、周方向に回転させながら押出被覆される
請求項２に記載の感圧センサの製造方法。
【請求項４】
前記管状の弾性絶縁体は、心金の外周面に刻まれた、押出方向に対して斜めとなる溝に沿って流動されることにより、周方向に回転させながら押出被覆される
請求項２または３に記載の感圧センサの製造方法。
【発明の詳細な説明】
【技術分野】
【０００１】
本発明は、感圧センサおよび感圧センサの製造方法に関する。
【背景技術】
【０００２】
従来、外部からの圧力によって電極線同士が接触することによりスイッチ機能を果たす感圧センサが自動車のスライドドア等の挟み込み防止センサとして用いられている（例えば、特許文献１）。
【０００３】
特許文献１に記載の感圧センサは、中空部を有する管状の弾性絶縁体と、この弾性絶縁体の中空部の内周面に互いに離間して螺旋状に配置された複数の電極線とを備えている。この中空螺旋構造により、どの方向から変形させても電極線同士が接触するため、全方向検知が可能となる。この感圧センサは、中空部と同一形状に形成されたスペーサの外周面に複数の電極線を沿わせ、スペーサ及び複数の電極線の外周にゴム材料を押出して弾性絶縁体を成形し、その後スペーサを引き抜くことにより製造される。
【先行技術文献】
【特許文献】
【０００４】
【特許文献１】特開平１０−２８１９０６号公報
【発明の概要】
【発明が解決しようとする課題】
【０００５】
特許文献１に記載の感圧センサは、スペーサを使用するため、スペーサを製造する工程、電極線を沿わせる工程、引き抜く工程が必要となり、工程数が多くなり製造コストが高くなる問題があった。また、スペーサを引き抜く際には、電極線との摩擦抵抗が高く、引き抜く途中でスペーサが破断したり、電極線に削れなどの損傷が加わったりするため、短尺に切断してから引き抜く必要があった。このため、スペーサの再利用ができず材料費が高くなる問題や、完成品の感圧センサの長さに制限があるなどの課題があった。
【０００６】
そこで、本発明は、何れの方向から圧力を受けても電極線同士が接触し、完成品の長さを自由に設定でき、安価に製造することが可能な感圧センサ及びその製造方法を提供ことを目的とする。
【課題を解決するための手段】
【０００７】
本発明は、上記目的を達成するために、下記［１］〜［４］の感圧センサ及びその製造方法を提供する。
【０００８】
［１］弾性絶縁体からなる中空の管状部材と、前記管状部材の内周面に互いに離間して保持された複数本の電極線を備える感圧センサにおいて、前記管状部材の内周面または外周面の少なくとも一方の面には、長手方向に沿って螺旋リブが形成され、前記電極線は、長手方向に沿って螺旋状に配置され、前記管状部材の螺旋リブの螺旋方向と、前記螺旋状に配置された電極線の螺旋方向とは同方向である感圧センサを提供する。
【０００９】
［２］弾性絶縁体からなる中空の管状部材と、前記管状部材の内周面に互いに離間して保持された複数本の電極線を備える感圧センサの製造方法において、前記複数本の電極線を互いに離間させて走線させつつ、当該複数本の電極線が内周面に保持されるように管状の弾性絶縁体を押出被覆して前記管状部材を形成する際に、前記管状の弾性絶縁体を周方向に回転させながら押出被覆することにより、前記複数本の電極線を長手方向に沿って螺旋状に配置する感圧センサの製造方法を提供する。
【００１０】
［３］前記管状の弾性絶縁体は、口金の内周面に刻まれた、押出方向に対して斜めとなる溝に沿って流動されることにより、周方向に回転させながら押出被覆される［２］に記載の感圧センサの製造方法を提供する。
【００１１】
［４］前記管状の弾性絶縁体は、心金の外周面に刻まれた、押出方向に対して斜めとなる溝に沿って流動されることにより、周方向に回転させながら押出被覆される［２］または［３］に記載の感圧センサの製造方法を提供する。
【発明の効果】
【００１２】
本発明によれば、何れの方向から圧力を受けても電極線同士が接触し、完成品の長さを自由に設定でき、安価に製造することが可能な感圧センサ及びその製造方法を提供することができる。
【図面の簡単な説明】
【００１３】
【図１】本発明の第１の実施形態に係る感圧センサを示す断面図である。
【図２】本発明の第１の実施形態に係る感圧センサを示す透視側面略図である。
【図３】本発明の第１の実施形態に係る感圧センサを製造するための押出し機の断面図である。
【図４】本発明の第１の実施形態に係る感圧センサを製造するために用いられる口金を示す断面図である。
【図５】本発明の第１の実施形態に係る感圧センサを製造するために用いられる口金を軸方向からみた正面図である。
【図６】本発明の第２の実施形態に係る感圧センサを示す断面図である。
【図７】本発明の第２の実施形態に係る感圧センサを製造するために用いられる心金を示す側面図である。
【図８】本発明の第３の実施形態に係る感圧センサを製造するために用いられる感圧センサを示す断面図である。
【発明を実施するための形態】
【００１４】
本発明の感圧センサは、自動車用のスライドドア、バックドア、パワーウィンドウやエレベータドア、シャッター、自動ドア、車輌用ドア、ホームドアなどの挟み込み防止用途へ適用できる。
【００１５】
［第１の実施の形態］
以下、本発明の第１の実施の形態を図１〜５を参照して説明する。なお、以下に示す実施の形態は、本発明を実施する上での好適な具体例として示すものであり、技術的に好ましい種々の技術的事項を具体的に例示している部分もあるが、本発明の技術的範囲は、この具体的態様に限定されるものではない。
図１は本発明の第１の実施の形態に係る感圧センサを示す断面図である。この感圧センサ１は、弾性絶縁体からなる中空の管状部材２と、管状部材２の内周面に互いに離間して保持された複数本（本実施の形態では４本）の電極線３とを備え、管状部材２の外周面には長手方向に沿って螺旋リブ７が形成され、複数本の電極線３は長手方向に沿って螺旋状に配置され、管状部材２の螺旋リブ７の螺旋方向と螺旋状に配置された電極線３の螺旋方向とは同方向である。
【００１６】
電極線３は金属線４の外周上に弾性導電体５が被覆されたものであり、電極線３間は空間６により隔てられている。管状部材２の断面における外円の形状は、後述する図４、図５に示す口金８の溝９の形状によって変化する。
【００１７】
図２は本発明の第１の実施形態に係る感圧センサを示す透視側面略図である。弾性絶縁体からなる中空の管状部材２と、管状部材２の内側に互いに離間して保持された複数本の電極線３は、感圧センサ１の長手方向に沿って螺旋状に配置されている。
【００１８】
また、感圧センサ１は、管状部材２が外部からの圧力を受けた際に弾性変形して複数本のうち少なくともいずれか２本の電極線３同士が接触（短絡）する。
【００１９】
電極線３は管状部材２の内側に互いに離間して螺旋状に配置されている。電極線３は金属線４と、金属線４を被覆する弾性導電体５とからなる。
【００２０】
金属線４には例えば、銅等の良導電性の金属からなる単線や、複数（本実施の形態では７本）の素線を互いに撚り合わせた撚線を用いることができる。他の金属線としては、銅箔をポリエステルなどからなる糸に巻き付けた銅箔糸も適用できる。これらの金属線は耐熱性を高める目的で表面をスズ、ニッケル、銀、亜鉛などでメッキしてもよい。
【００２１】
また、弾性導電体５は、例えばカーボンブラック等の導電性充填剤を配合したエチレン−プロピレン−ジエン共重合を架橋したゴム系組成物や、架橋工程が不要なオレフィン系やスチレン系熱可塑性エラストマー組成物などが好適に用いることができる。
【００２２】
管状部材２の外周面には螺旋リブ７が形成されているため、例えば、感圧センサ１を管内に挿入する際の摩擦力（接触抵抗）を低減できるという効果が得られる。特に、螺旋方向に回転させながら挿入させることにより、より一層に摩擦力を低減することができる。
【００２３】
感圧センサ１は、次の製造方法で得ることができる。
まず、金属線４の外周上に押出機を用いて弾性導電体５を被覆することで電極線３を作製する。次に、図３に示すように、電極線３を複数本（本実施の形態では４本）、それぞれの中心が正方形の頂点に重なるように配置し、押出機のクロスヘッド内に走線させ、外周（口金８）から管状の弾性絶縁体５１を押出被覆して、弾性絶縁体（管状部材２）の内周面に電極線３を融着・保持させる。このとき管状の弾性絶縁体５１を周方向に回転させながら押出することで、電極線３が螺旋状に配置される。これらの電極線３を正方形の頂点に配置させる方法として、押出機の心金５２に電極線３が通るような穴を４つ開けておき、走線させる方法がある。また、管状部材２、電極線３および空間６の形状、配置が崩れるのを防ぐため、管状部材２の内側から圧縮気体５３を印加することができる。この方法としては、心金５２の例えば中心部に一つまたは複数の穴を開けておき、圧縮気体５４を心金５２の内側から吐出口に向かって供給する方法がある。圧縮気体５３としては、空気や窒素などの不活性ガスが好適である。
【００２４】
図４は本発明の第１の実施形態に係る感圧センサを製造するために用いられる口金を示す断面図である。弾性絶縁体５１を周方向に回転させながら押出する方法として、図３に示した口金８を用いることができる。口金先端部８ａの内周面全周にわたって押出方向（管状部材２の軸方向）に対して斜めに溝９が、等間隔に複数刻まれた構造を持つ。
【００２５】
押出方向に対して斜めに溝９を作製することにより、押出材料（弾性絶縁体５１）は溝９に沿って流動することになり、押出方向に対して斜めに吐出される。口金先端部８ａの内周面全周にわたって等間隔に溝９を刻むことで、管状の成形体（管状部材２）を周方向に回転させながら押出すことができる。その結果、管状の成形体の外周面には、口金先端部８ａの溝９に対応する螺旋リブ７が形成される。管状部材２の外周面に形成された螺旋リブ７の螺旋方向と、螺旋状に配置された電極線３の螺旋方向とは同方向となる。また、螺旋リブ７の螺旋ピッチと、電極線３の螺旋ピッチとは、同ピッチとなる。
【００２６】
図５は本発明の第１の実施形態に係る感圧センサを製造するために用いられる口金８であって、軸方向（押出材料の吐出側）からみた正面図である。溝９の断面形状としては半円状や矩形などが適用可能であるが、押出材料の流動しやすさの点から半円状が好適である。溝９の数、深さ、押出方向に対する角度などは自由に設定できる。溝９の角度を変えることで、押出材料の流動角度（管状部材２の軸方向と、押出材料の吐出方向とがなす角度）が変化し、押出材料の周方向への回転速度を変えることができる。
【００２７】
感圧センサ１は長さの制限がなく製造することができ、用途によって例えば１ｍ〜数十ｍである。また、管状部材２の外径は、例えば４ｍｍである。管状部材２の材料としては、圧縮永久歪が小さく、柔軟性、耐寒性、耐水性、耐薬品性、耐候性などの優れたものが使用でき、例えばエチレン−プロピレン−ジエン共重合体を架橋したゴム系組成物や、架橋工程が不要なオレフィン系やスチレン系熱可塑性エラストマー組成物などが好適に用いることができる。
【００２８】
［他の実施の形態］
次に本発明の他の実施の形態について、図６〜８を参照して説明する。
図６は本発明の第２の実施形態に係る感圧センサを示す断面図であり、図７は本発明の第２の実施形態に係る感圧センサを製造するために用いられる心金１０を示す側面図である。なお、心金１０は、電極線３を通すことができる穴が複数個（本実施の形態では４個）設けられており（図示なし）、電極線３を正方形の頂点に配置させつつ走線可能となっている。また、圧縮気体５３の供給穴が開いていてもよい。
【００２９】
第２の実施形態では、弾性絶縁体５１を周方向に回転させながら押出する方法として、心金１０を用いることができる。心金先端部１０ａの外周面全周にわたって押出方向（管状部材２の軸方向）に対して斜めに溝９が、等間隔に複数刻まれた構造を持つ。これにより、押出材料（弾性絶縁体５１）は溝９に沿って流動することになり、押出方向に対して斜めに吐出される。すなわち、第１の実施の形態と同様に、管状の成形体を周方向に回転させながら押出することが可能となる。その結果、図６に示すように、管状の成形体（管状部材２）の内周面には、心金１０の溝９に対応する螺旋リブ７が形成される。管状部材２の内周面に形成された螺旋リブ７の螺旋方向と、螺旋状に配置された電極線３の螺旋方向とは同方向となる。また、螺旋リブ７の螺旋ピッチと、電極線３の螺旋ピッチとは、同ピッチとなる。
【００３０】
なお、管状部材２の断面における内円の形状は、心金１０の溝９の形状によって変わる。溝９の断面形状としては半円状や矩形などが適用可能であるが、押出材料の流動しやすさの点から半円状が好適である。溝９の数、深さ、押出方向に対する角度などは自由に設定できる。溝９の角度を変えることで、押出材料の流動角度（管状部材２の軸方向と、押出材料の吐出方向とがなす角度）が変化し、押出材料の周方向への回転速度を変えることができる。
【００３１】
図８は本発明の第３の実施形態に係る感圧センサを示す断面図である。管状部材２の外周に管状部材外層１１が設けられている。特に感圧センサの強度を高めるためや、他部材（端末の封止部材や感圧センサ取り付け部など）との相性（接着性など）を高めるために、管状部材２の外周に管状部材外層１１を設けることが有効である。管状部材２、管状部材外層１１ともに、弾性絶縁体が使用できる。また、管状部材外層１１には例えば、強度、耐摩耗性に優れ、他部材に使用されることの多いポリアミドとの接着性が良好な熱可塑性ポリウレタンなども使用することができる。製造方法としては、第１の実施形態に係る感圧センサ１と同様の製造方法で管状部材２を製造し、その後、管状部材外層１１を最外層に押出被覆する方法などが適用できる。また、第２の実施形態に係る感圧センサ１と同様の製造方法で管状部材２を製造し、その後、管状部材外層１１を最外層に押出被覆してもよい。
【００３２】
なお、螺旋リブ７は、例えば、第１の実施形態で用いた口金８と第２の実施形態で用いた心金１０とを組み合わせて、管状部材２の内外周面に形成されていてもよい。また、この内外周面に螺旋リブ７が形成された管状部材２の外周に、さらに管状部材外層１１を設けてもよい。
【００３３】
管状部材２の内周面及び／または外周面に螺旋リブ７を形成するために、押出方向（管状部材２の軸方向）に対して斜めに形成された溝９を有する口金８や心金１０を用いたが、これに限られない。例えば、押出方向（管状部材２の軸方向）に対して平行に形成された溝を有する口金または心金を用いると共に、この口金または心金（押出材料の吐出部分）を外部から一方向に回転させ続けることにより、螺旋リブ７を形成してもよい。
【００３４】
４本の電極線３を用いた感圧センサの製造方法で説明したが、電極線３の本数は２本、３本または５本以上とすることもできる。電極線３の本数を少なくする場合は、所定のセンサ感度が得られるように、電極線３の螺旋ピッチを小さくすることが好ましい。そのために、口金８や心金１０に形成される溝９の押出方向（管状部材２の軸方向）に対する角度を大きくする。これにより、押出材料（弾性絶縁体５１）の流動角度（管状部材２の軸方向と、押出材料の吐出方向とがなす角度）が大きくなるので、押出材料の周方向への回転角度も大きくなり、電極線３の螺旋ピッチを小さくすることができる。
【００３５】
次に、以上説明した実施の形態から把握される技術思想について、実施の形態における符号等を使用して記載する。ただし、以下の記載における各符号は、特許請求の範囲における構成要素を実施の形態に具体的に示した部材等に限定するものではない。
【００３６】
［１］弾性絶縁体からなる中空の管状部材（２）と、前記管状部材（２）の内周面に互いに離間して保持された複数本の電極線（３）を備え、前記管状部材（２）が外部から圧力を受けた際に弾性変形して複数本のうち少なくともいずれか２本の電極線（３）同士が接触する感圧センサ（１）において、
前記管状部材（２）の内周面または外周面の少なくとも一方の面には、長手方向に沿って螺旋リブ（７）が形成され、
前記電極線（３）は、長手方向に沿って螺旋状に配置され、
前記管状部材（２）の螺旋リブ（７）の螺旋方向と、前記螺旋状に配置された電極線（３）の螺旋方向とは同方向である
感圧センサ（１）。
【００３７】
［２］弾性絶縁体からなる中空の管状部材（２）と、前記管状部材の内周面に互いに離間して保持された複数本の電極線（３）を備え、前記管状部材（２）が外部から圧力を受けた際に弾性変形して複数本のうち少なくともいずれか２本の電極線（３）同士が接触する感圧センサ（１）の製造方法において、
前記複数本の電極線（３）を互いに離間させて走線させつつ、当該複数本の電極線（３）が内周面に保持されるように管状の弾性絶縁体（５１）を押出被覆して前記管状部材（２）を形成する際に、前記管状の弾性絶縁体（５１）を周方向に回転させながら押出被覆することにより、前記複数本の電極線（３）を長手方向に沿って螺旋状に配置する感圧センサ（１）の製造方法。
【００３８】
［３］前記管状の弾性絶縁体（５１）は、口金（８）の内周面に刻まれた、押出方向に対して斜めとなる溝（９）に沿って流動されることにより、周方向に回転させながら押出被覆される
請求項２に記載の感圧センサ（１）の製造方法。
【００３９】
［４］前記管状の弾性絶縁体（５１）は、心金（１０）の外周面に刻まれた、押出方向に対して斜めとなる溝（９）に沿って流動されることにより、周方向に回転させながら押出被覆される
請求項２または３に記載の感圧センサの製造方法。
【００４０】
以上、本発明の実施の形態を説明したが、上記に記載した実施の形態は特許請求の範囲に係る発明を限定するものではない。また、実施の形態の中で説明した特徴の組合せの全てが発明の課題を解決するための手段に必須であるとは限らない点に留意すべきである。また、本発明は、その趣旨を逸脱しない範囲で適宜変形して実施することが可能である。
【符号の説明】
【００４１】
１  感圧センサ
２  管状部材
３  電極線
４  金属線
５  弾性導電体
６  空間
７  螺旋リブ
８  口金
９  溝
１０、５３  心金
１１  管状部材外層
【図１】
2019102394.tif 000003
【図２】
2019102394.tif 000004
【図３】
2019102394.tif 000005
【図４】
2019102394.tif 000006
【図５】
2019102394.tif 000007
【図６】
2019102394.tif 000008
【図７】
2019102394.tif 000009
【図８】
2019102394.tif 000010